(57)【要約】【課題】管理サーバを介さずに入退室ゲートと進入ゲートの制御を可能とする入退室管理システムを提供する。【解決手段】鍵管理装置４から鍵が取り出されたとき、鍵管理装置４は、鍵管理装置４による認証に基づいて鍵を取り出した在室者を特定し、当該在室者にとって進入ゲート６側の仮想エリアＡ１が「在室」となる在室情報を生成してこれを入退室制御装置に送信し、鍵管理装置４に最後の鍵が返却されたとき、鍵管理装置４は、鍵管理装置４による認証に基づいて鍵を返却した在室者を特定し、当該在室者にとって入退室ゲート５側の仮想エリアＡ２が「在室」となる在室情報を生成してこれを入退室制御装置に送信する。【選択図】図２
2011179222.tif 000002
【特許請求の範囲】
【請求項１】
鍵管理装置が設置され、入退室ゲートおよび次の進入エリアに通じる進入ゲートを有した特定エリアに対する入退室管理システムであって、
各ゲートに対応するＩＤ認証装置と、
各ゲートに割り振られた仮想エリアの在室情報のうちの何れか一方が「在室」となったときその仮想エリアに対応するＩＤ認証装置による認証を有効にし、前記入退室ゲートまたは進入ゲートを解錠可能とする入退室制御装置と、
を備え、
前記鍵管理装置から鍵が取り出されたとき、前記鍵管理装置は、該鍵管理装置による認証に基づいて鍵を取り出した在室者を特定し、当該在室者にとって進入ゲート側の仮想エリアが「在室」となる在室情報を生成してこれを前記入退室制御装置に送信し、
前記鍵管理装置に最後の鍵が返却されたとき、前記鍵管理装置は、該鍵管理装置による認証に基づいて鍵を返却した在室者を特定し、当該在室者にとって入退室ゲート側の仮想エリアが「在室」となる在室情報を生成してこれを前記入退室制御装置に送信することを特徴とする入退室管理システム。
【請求項２】
前記鍵管理装置は、複数台設置されて鍵の取出情報を共有することを特徴とする請求項１に記載の入退室管理システム。
【発明の詳細な説明】
【技術分野】
【０００１】
本発明は、入退室管理システムに関する。
【背景技術】
【０００２】
サーバラック等の解施錠を行う鍵を鍵管理装置に格納して管理するシステムでは、鍵管理装置からの鍵の取り出し行為に基づいて次の進入エリアに通じる進入ゲートを解錠可能にしたいというニーズや鍵を鍵管理装置に返却しない限り在室者を入退室ゲートから退室させたくないというニーズが考えられる。
【０００３】
なお、前記進入ゲートを有さず、鍵管理装置とサーバラックとが同室に設置されている構成の入退室管理システムの先行技術文献としては特許文献１、２が挙げられる。
【先行技術文献】
【特許文献】
【０００４】
【特許文献１】特開２００２−１１５４２８号公報
【特許文献２】特開２００２−２３６９８６号公報
【発明の概要】
【発明が解決しようとする課題】
【０００５】
従来より、鍵管理装置の設置部屋に対するゲートの制御は、鍵管理装置から鍵の取出情報、返却情報を管理サーバに送信し、その鍵の取出情報、返却情報に基づいて管理サーバがゲートの解錠制御を行うというものである。しかしながら、管理サーバは入室者の個人情報、鍵の取出・返却の履歴、ゲートの解施錠履歴等の格納・検索機能や、鍵管理装置、ゲート、ＩＤ認証装置等の設定機能等を有しており、これらに加えてゲートの制御機能も担わせることは管理サーバにとって負担となる。また、管理サーバがダウンしたときにはゲートの制御が不能になることも考えられる。
【０００６】
また、鍵管理装置から複数の鍵を取り出した場合であっても、前記した両ニーズを確実に満たす入退室管理システムが望まれる。
【０００７】
本発明は、管理サーバを介さずに入退室ゲートと進入ゲートの制御が可能であり、鍵管理装置から複数の鍵を取り出した場合であっても、進入ゲートの通過許可と、鍵を持ち出したままの入退室ゲートからの退室不許可の両機能を個人単位で実現可能な入退室管理システムを提供することを目的としている。
【課題を解決するための手段】
【０００８】
本発明は、前記課題を解決するため、鍵管理装置が設置され、入退室ゲートおよび次の進入エリアに通じる進入ゲートを有した特定エリアに対する入退室管理システムであって、各ゲートに対応するＩＤ認証装置と、各ゲートに割り振られた仮想エリアの在室情報のうちの何れか一方が「在室」となったときその仮想エリアに対応するＩＤ認証装置による認証を有効にし、前記入退室ゲートまたは進入ゲートを解錠可能とする入退室制御装置と、を備え、前記鍵管理装置から鍵が取り出されたとき、前記鍵管理装置は、該鍵管理装置による認証に基づいて鍵を取り出した在室者を特定し、当該在室者にとって進入ゲート側の仮想エリアが「在室」となる在室情報を生成してこれを前記入退室制御装置に送信し、前記鍵管理装置に最後の鍵が返却されたとき、前記鍵管理装置は、該鍵管理装置による認証に基づいて鍵を返却した在室者を特定し、当該在室者にとって入退室ゲート側の仮想エリアが「在室」となる在室情報を生成してこれを前記入退室制御装置に送信することを特徴とする。
【０００９】
当該入退室管理システムによれば、鍵管理装置から鍵を取り出したときにその在室者に対して進入ゲートが解錠可能となり、鍵管理装置に最後の鍵を返却したときにその在室者に対して入退室ゲートが解錠可能となるので、鍵を取り出した後の進入ゲートの通過許可と、鍵を持ち出したままの入退室ゲートからの退室不許可の両機能を個人単位で実現できる。
【００１０】
また、入退室ゲートおよび進入ゲートの制御を管理サーバではなく入退室制御装置で行わせることにより、管理サーバの負担を軽減でき、管理サーバがダウンしたときであっても両ゲートの制御が可能となる。
【００１１】
そして、一般にＩＤ認証装置付きのゲートの解錠を制御する入退室制御装置は、ゲートの「入退室情報」を元に、入室した部屋を基準にして言い換えればその部屋の「在室情報」を元にＩＤ認証装置による認証の有効、無効の決定を行っているものが殆どである。このような入退室制御装置に対し、仮に鍵の取出情報に基づいてゲートの解錠制御をさせようとした場合には、入退室制御装置の制御プログラムを変更する必要が生じるのに対し、本発明では入退室ゲート、進入ゲートの解錠制御に「在室情報」そのものを利用しているため、入退室制御装置の制御プログラムには何ら変更を施す必要がない。したがって、既存の入退室制御装置をそのまま利用して本発明の入退室管理システムを容易に構築できる。
【００１２】
また、本発明は、前記鍵管理装置は、複数台設置されて鍵の取出情報を共有することを特徴とする。
【００１３】
当該入退室管理システムによれば、鍵管理装置を複数台設置した場合において、鍵の取出情報の共有により入退室ゲートおよび進入ゲートの解錠制御をスムースに行える。
【発明の効果】
【００１４】
本発明の入退室管理システムによれば、鍵管理装置から鍵を取り出したときにその在室者に対して進入ゲートが解錠可能となり、鍵管理装置に最後の鍵を返却したときにその在室者に対して入退室ゲートが解錠可能となるので、鍵を取り出した後の進入ゲートの通過許可と、鍵を持ち出したままの入退室ゲートからの退室不許可の両機能を個人単位で実現できる。また、入退室ゲートおよび進入ゲートの制御を管理サーバではなく入退室制御装置で行わせることにより、管理サーバの負担を軽減でき、管理サーバがダウンしたときであっても両ゲートの制御が可能となる。
【図面の簡単な説明】
【００１５】
【図１】本発明に係る入退室管理システムの構成例を示す図である。
【図２】本発明に係る入退室管理システムのレイアウト平面図である。
【図３】本発明に係る入退室管理システムの変形例のレイアウト平面図である。
【図４】鍵管理装置の一例を示す外観斜視図である。
【図５】本発明に係る入退室管理システムの動作を示すフローチャートである。
【発明を実施するための形態】
【００１６】
本発明に係る入退室管理システム１の主構成は、図１に示すように、管理サーバ２と、入退室制御装置３と、鍵管理装置４と、電気錠式の扉等からなる入退室ゲート５および進入ゲート６と、入退室ゲート５、進入ゲート６のそれぞれに設けられ、暗証番号の入力装置や暗証カードのカードリーダ等、本人の認証ＩＤを入力するＩＤ認証装置７、８と、からなる。
【００１７】
図２に示すように、特定エリアＡには鍵管理装置４が設置されており、本実施形態では複数台（符号４Ａ〜４Ｃにて示す）設置している。鍵管理装置４は、例えば図４に示すように、カードリーダ部１１と、暗証番号入力部１２と、日付や認証結果等を表示する表示部１３とを有しており、各鍵は管理鍵Ｋに吊り下げられ、それぞれ独立した収納ボックス１４内の鍵溝に管理鍵Ｋが差し込まれた状態で収納されている。カードリーダ部１１および暗証番号入力部１２の少なくとも一方による本人認証がＯＫとなった場合には所定の収納ボックス１４のロックが外れ、手前に引き出して鍵溝から管理鍵Ｋを抜き取る、或いは鍵溝に管理鍵Ｋを返却できるようになっている。鍵管理装置４は、図示しないセンサにより管理鍵Ｋの有無、つまり収納ボックス１４に対する管理鍵Ｋの取り出し状態、返却状態を検知する。
【００１８】
特定エリアＡには、入退室ゲート５と、次の進入エリア（図示せず）に通じる進入ゲート６とが設けられている。前記進入エリアには例えば顧客が利用するサーバを収納したサーバラックが設置される。入退室ゲート５の脇にＩＤ認証装置７が設けられ、進入ゲート６の脇にＩＤ認証装置８が設けられている。
【００１９】
入退室制御装置３は、ＣＰＵ、メモリ等から構成される。図１において、入退室制御装置３は、ＬＡＮを介して管理サーバ２および鍵管理装置４に接続するとともに、制御専用回線を介して入退室ゲート５、進入ゲート６、ＩＤ認証装置７、８に接続している。各鍵管理装置４Ａ〜４Ｃは互いにＬＡＮを介して接続している。
【００２０】
入退室制御装置３は、在室情報処理部９とＩＤ照合処理部１０とを有する。ＩＤ照合処理部１０は、ＩＤ認証装置７で入力された在室者の入力ＩＤ情報と、管理サーバ２に予め登録されている登録ＩＤ情報とを照合して両者が一致したとき入退室ゲート５を解錠し、ＩＤ認証装置８で入力された在室者の入力ＩＤ情報と、管理サーバ２に予め登録されている登録ＩＤ情報とを照合して両者が一致したとき進入ゲート６を解錠する。
【００２１】
具体的には、入退室制御装置３には以下に示す情報が記憶または登録されている。
（１）前記登録ＩＤ情報に関連付けされて、後記する在室情報が記憶されている。
（２）ＩＤ認証装置Ｎｏ．に関連付けされてゲートＮｏ．が登録されている。本実施形態の場合で言うと、ＩＤ認証装置７に関連付けされて入退室ゲート５が登録され、ＩＤ認証装置８に関連付けされて進入ゲート６が登録されている。
（３）ゲートＮｏ．に関連付けされてエリア情報が登録されている。本実施形態の場合で言うと、図２に示すように、進入ゲート６に関連付けされて仮想エリアＡ１が登録され、入退室ゲート５に関連付けされて仮想エリアＡ２が登録されている。つまり、特定エリアＡは仮想エリアＡ１と仮想エリアＡ２とから構成されることになる。
【００２２】
入退室ゲート５を例に説明すると、在室者がＩＤ認証装置７で認証を行うと、ＩＤ認証装置７で入力した入力ＩＤ情報とＩＤ認証装置７のＩＤ認証装置Ｎｏ．とが入退室制御装置３へ送信される。入退室制御装置３のＩＤ照合処理部１０は、受信した入力ＩＤ情報と登録ＩＤ情報とを照合する。そして、両者が一致したとき、入退室制御装置３の在室情報処理部９では、登録ＩＤ情報に関連付けされている在室情報と、前記（２）、（３）の関係から導き出されるエリア情報（この場合仮想エリアＡ２）とを照合し、両者が一致したときのみ入退室制御装置３は入退室ゲート５を解錠する。つまり、在室情報が仮想エリアＡ２として記憶されている場合に限りＩＤ認証装置７による認証が有効となるものであり、在室情報が仮想エリアＡ１として記憶されていればＩＤ認証装置７による認証が無効になる。進入ゲート６側についても同様であり、在室情報が仮想エリアＡ１として記憶されている場合に限りＩＤ認証装置８による認証が有効となるものであり、在室情報が仮想エリアＡ２として記憶されていればＩＤ認証装置８による認証が無効になる。
【００２３】
管理サーバ２は、入退室制御装置３の設定、鍵管理装置４の設定、ＩＤ認証装置７、８の設定、検索機能を有した個人情報の格納管理、検索機能を有した鍵利用の履歴の格納管理等を行う。管理サーバ２にはパソコン等の処理端末（不図示）が接続され、その処理端末のモニタには、顧客情報や入退室管理システム１の各種設定状態、鍵利用の履歴等が表示される。
【００２４】
前記鍵管理装置４は、鍵が取り出されたとき、カードリーダ部１１および暗証番号入力部１２の少なくとも一方による本人認証に基づいて鍵を取り出した在室者を特定し、その在室者にとって進入ゲート６側の仮想エリアＡ１が「在室」となる在室情報Ｄ１を生成してこれを入退室制御装置３に送信し、最後の鍵が返却されたとき、カードリーダ部１１および暗証番号入力部１２の少なくとも一方による本人認証に基づいて鍵を返却した在室者を特定し、その在室者にとって入退室ゲート５側の仮想エリアＡ２が「在室」となる在室情報Ｄ２を生成してこれを入退室制御装置３に送信する。
【００２５】
以下、入退室管理システム１の一連の動作について説明する。
先ず、図２においてエリア外のＩＤ認証装置（図示せず）により認証ＯＫとなった人物が入退室ゲート５から特定エリアＡに入室すると、この入退室ゲート５からの入室情報に基づき、入退室制御装置３は、入退室ゲート５に割り振られた仮想エリアＡ２が「在室」の状態にあり、進入ゲート６に割り振られた仮想エリアＡ１は引き続き「不在」の状態にあると認識する。つまり、この段階では入退室ゲート５側のＩＤ認証装置７による認証が有効、進入ゲート６側のＩＤ認証装置８による認証が無効の状態であり、例えば鍵管理装置４から鍵を取り出す前に急用を思い出した場合等には、ＩＤ認証装置７でＩＤ情報を入力したうえで入退室ゲート５から退室することができる。一方、ＩＤ認証装置８による認証は無効のため、鍵管理装置４から鍵を取り出さない限り進入ゲート６を通過することはできない。
【００２６】
次いで、その入室した人物（在室者）が既述の手順で鍵管理装置４から許可された鍵を取り出すと、鍵管理装置４は、カードリーダ部１１および暗証番号入力部１２の少なくとも一方による認証に基づいて鍵を取り出した在室者を特定し、その在室者にとって進入ゲート６側の仮想エリアＡ１が「在室」となる在室情報Ｄ１を生成する。具体的には、鍵管理装置４Ａから鍵が取り出された場合には鍵管理装置４Ａが在室情報Ｄ１を生成し、同様に鍵管理装置４Ｂ、４Ｃから鍵が取り出された場合にはそれぞれ鍵管理装置４Ｂ、４Ｃが在室情報Ｄ１を生成する。
【００２７】
また、鍵管理装置４Ａ〜４Ｃから複数の鍵が取り出された場合には、最初の鍵が取り出された鍵管理装置４Ａ〜４Ｃのいずれかが在室情報Ｄ１を生成する。鍵管理装置４Ａ〜４Ｃは鍵の取出情報を共有しており、鍵の取り出しが「無し」の場合にはその旨の鍵の取出情報として「０」のデジタル信号を、鍵の取り出しが「有り」の場合にはその旨の鍵の取出情報として「１」のデジタル信号を互いに送信する。例えば、在室者が鍵管理装置４Ａから鍵を取り出したときで、鍵管理装置４Ｂ、４Ｃの双方から送信されてきた鍵の取出情報が共に「０」のデジタル信号であった場合には、鍵管理装置４Ａはその自装置での取り出しが最初の鍵の取り出しであると判断し、在室情報Ｄ１を生成する。
【００２８】
そして、鍵管理装置４は生成した在室情報Ｄ１を入退室制御装置３に送信する。在室者がＩＤ認証装置８で認証入力を行ったとき、入退室制御装置３の在室情報処理部９は、進入ゲート６側の仮想エリアＡ１が「在室」となる在室情報Ｄ１と、進入ゲート６のエリア情報（仮想エリアＡ１）とを照合し、両者が一致するため、進入ゲート６が解錠される。これにより、在室者は進入ゲート６を通って、サーバラック等が設置された進入エリアに進入できる。
一方、在室者がＩＤ認証装置７で認証入力を行ったとき、入退室制御装置３の在室情報処理部９は、進入ゲート６側の仮想エリアＡ１が「在室」となる在室情報Ｄ１と、入退室ゲート５のエリア情報（仮想エリアＡ２）とを照合し、両者は不一致のため、入退室ゲート５は解錠されない。在室者が進入ゲート６を介して進入エリアに進入すると、入退室制御装置３は、進入ゲート６からの情報に基づき、仮想エリアＡ１、Ａ２がともに「不在」の状態にあり、進入エリアが「在室」の状態にあると認識する。
【００２９】
次に、進入エリアでの所用が終わり、進入エリア側のＩＤ認証装置（図示せず）により認証ＯＫとなった人物が進入ゲート６から特定エリアＡに入室すると、この進入ゲート６からの入室情報に基づき、入退室制御装置３は、仮想エリアＡ１が「在室」の状態にあり、仮想エリアＡ２が「不在」の状態にあると認識する。つまり、この状態では進入ゲート６側のＩＤ認証装置８による認証が有効、入退室ゲート５側のＩＤ認証装置７による認証が引き続き無効の状態であり、例えば鍵管理装置４に鍵を返却する前に再び進入エリアでの所用を思い出した場合等には、ＩＤ認証装置８でＩＤ情報を入力したうえで進入ゲート６から進入エリアに入ることができる。一方、ＩＤ認証装置７による認証は引き続き無効のため、入退室ゲート５から退室することはできない。
【００３０】
そして、在室者が鍵管理装置４に鍵を返却すると、鍵管理装置４は、カードリーダ部１１および暗証番号入力部１２の少なくとも一方による認証に基づいて鍵を返却した在室者を特定し、その在室者にとって入退室ゲート５側の仮想エリアＡ２が「在室」となる在室情報Ｄ２を生成する。具体的には、鍵管理装置４Ａに鍵が返却された場合には鍵管理装置４Ａが在室情報Ｄ２を生成し、同様に鍵管理装置４Ｂ、４Ｃに鍵が返却された場合にはそれぞれ鍵管理装置４Ｂ、４Ｃが在室情報Ｄ２を生成する。
【００３１】
また、鍵管理装置４Ａ〜４Ｃから複数の鍵が取り出されていた場合には、最後の鍵が返却された鍵管理装置４Ａ〜４Ｃのいずれかが在室情報Ｄ２を生成する。前記したように、鍵管理装置４Ａ〜４Ｃは、鍵の取り出しが「無し」の場合には「０」のデジタル信号を、鍵の取り出しが「有り」の場合には「１」のデジタル信号を互いに送信している。したがって、例えば在室者が鍵管理装置４Ｃに鍵を返却したときで、鍵管理装置４Ａ、４Ｂの双方から送信されてきた鍵の取出情報が共に「０」のデジタル信号であった場合には、鍵管理装置４Ｃはその自装置での返却が最後の鍵の返却であると判断し、つまり全ての鍵の返却があったと判断し、在室情報Ｄ２を生成する。
【００３２】
そして、鍵管理装置４は生成した在室情報Ｄ２を入退室制御装置３に送信する。在室者がＩＤ認証装置７で認証入力を行ったとき、入退室制御装置３の在室情報処理部９は、入退室ゲート５側の仮想エリアＡ２が「在室」となる在室情報Ｄ２と、入退室ゲート５のエリア情報（仮想エリアＡ２）とを照合し、両者が一致するため、入退室ゲート５が解錠される。これにより、在室者は入退室ゲート５からの退室が可能となる。
一方、在室者がＩＤ認証装置８で認証入力を行ったとき、入退室制御装置３の在室情報処理部９は、入退室ゲート５側の仮想エリアＡ２が「在室」となる在室情報Ｄ２と、進入ゲート６のエリア情報（仮想エリアＡ１）とを照合し、両者は不一致のため、進入ゲート６は解錠されない。在室者が入退室ゲート５から退室すると、入退室制御装置３は、入退室ゲート５からの退室情報に基づき、仮想エリアＡ１、Ａ２がともに「不在」の状態にあると認識する。
【００３３】
以上の入退室管理装置１の一連の動作を図５のフローチャートを参照して説明すると、ステップＳ１において入退室ゲート５からの入室の有無が判定され、入室有り「ＹＥＳ」の場合にはその在室者にとって入退室ゲート５の仮想エリアＡ２が「在室」の状態となる（ステップＳ２）。入室無し「ＮＯ」の場合はステップＳ１に戻る。
【００３４】
ステップＳ３において鍵の取り出しの有無が判定され、取り出し有り「ＹＥＳ」の場合には、取り出した在室者にとって進入ゲート６の仮想エリアＡ１が「在室」の状態となる（ステップＳ４）。取り出し無し「ＮＯ」の場合はステップＳ３に戻る。ステップＳ５において進入ゲート６のＩＤ認証装置８によるＩＤ認証が行われ、一致した（ＹＥＳ）場合には進入ゲート６が解錠される（ステップＳ６）。一致しない（ＮＯ）場合にはエラー処理される。
【００３５】
ステップＳ７において進入ゲート６から進入エリアへの進入の有無が判定され、進入有り「ＹＥＳ」の場合、その在室者にとって進入エリアが「在室」の状態となる（ステップＳ８）。進入無し「ＮＯ」の場合はステップＳ７に戻る。進入エリアでの所用が終わった後、ステップ９において進入ゲート６から特定エリアＡへの入室の有無が判定され、入室有り「ＹＥＳ」の場合にはその在室者にとって仮想エリアＡ１が「在室」の状態となる（ステップＳ１０）。入室無し「ＮＯ」の場合はステップＳ９に戻る。
【００３６】
ステップＳ１１において最後の鍵の返却の有無が判定され、返却有り「ＹＥＳ」の場合には返却した在室者にとって入退室ゲート５の仮想エリアＡ２が「在室」の状態となる（ステップＳ１２）。返却無し「ＮＯ」の場合はステップＳ１１に戻る。ステップＳ１３において入退室ゲート５のＩＤ認証装置７によるＩＤ認証が行われ、一致した（ＹＥＳ）場合には入退室ゲート５が解錠される（ステップＳ１４）。一致しない（ＮＯ）場合にはエラー処理される。
【００３７】
以上のように、入退室ゲート５、進入ゲート６に割り振られた仮想エリアＡ２、Ａ１の在室情報のうちの何れか一方が「在室」となったとき、仮想エリアＡ２に対応するＩＤ認証装置７による認証または仮想エリアＡ１に対応するＩＤ認証装置８による認証を有効にし、入退室ゲート５または進入ゲート６を解錠可能とする入退室制御装置３を備え、鍵管理装置４から鍵が取り出されたとき、鍵管理装置４は、該鍵管理装置による認証に基づいて鍵を取り出した在室者を特定し、当該在室者にとって進入ゲート６側の仮想エリアＡ１が「在室」となる在室情報Ｄ１を生成してこれを入退室制御装置３に送信し、鍵管理装置４に最後の鍵が返却されたとき、鍵管理装置４は、該鍵管理装置による認証に基づいて鍵を返却した在室者を特定し、当該在室者にとって入退室ゲート５側の仮想エリアＡ２が「在室」となる在室情報Ｄ２を生成してこれを入退室制御装置３に送信する入退室管理装置１とすれば、次のような効果が奏される。
【００３８】
鍵管理装置４から鍵を取り出したときにその在室者に対して進入ゲート６が解錠可能となり、鍵管理装置４に最後の鍵を返却したときにその在室者に対して入退室ゲート５が解錠可能となるので、鍵を取り出した後の進入ゲート６の通過許可と、鍵を持ち出したままの入退室ゲート５からの退室不許可の両機能を個人単位で実現できる。
【００３９】
また、入退室ゲート５および進入ゲート６の制御を管理サーバ２ではなく入退室制御装置３で行わせることにより、管理サーバ２の負担を軽減でき、管理サーバ２がダウンしたときであっても両ゲートの制御が可能となる。
【００４０】
そして、一般にＩＤ認証装置付きのゲートの解錠を制御する入退室制御装置は、ゲートの「入退室情報」を、入室した部屋を基準にして言い換えればその部屋の「在室情報」を、前記したように在室情報処理部においてゲートのエリア情報と照合させ、その一致・不一致によりＩＤ認証装置による認証の有効、無効の決定を行っているものが殆どである。このような入退室制御装置に対し、仮に鍵の取出情報（前記した「０」、「１」のデジタル信号等）に基づいてゲートの解錠制御をさせようとした場合には、入退室制御装置の制御プログラムを変更する必要が生じるのに対し、本発明では入退室ゲート５、進入ゲート６の解錠制御に「在室情報」そのものを利用しているため、入退室制御装置の制御プログラムには何ら変更を施す必要がない。したがって、既存の入退室制御装置をそのまま利用して本発明の入退室管理システム１を容易に構築できる。
【００４１】
また、各鍵管理装置４Ａ〜４Ｃに鍵の取り出しの有無情報である鍵の取出情報を共有させる構成とすれば、鍵管理装置４を複数台設置した場合であっても、鍵の取出情報の共有によりスムースに入退室ゲート５および進入ゲート６の解錠制御ができる。
【００４２】
図３は入退室管理システム１の変形例のレイアウト平面図であり、進入ゲート６が進入ゲート６Ａ、６Ｂの２ゲートからなり、それぞれに異なる仮想エリアＡ１、Ａ３が設定されている場合を示している。この場合、例えば図６のフローチャートのステップＳ３で鍵の取り出しがあった場合、その鍵情報を基にしてどちらの仮想エリアを「在室」にするかを決定する。例えば、取り出した鍵を使用するラックサーバが進入ゲート６Ｂ側に設置されている場合には、仮想エリアＡ３が「在室」となり、進入ゲート６Ｂ用のＩＤ認証装置８Ｂによる認証のみが有効となり、進入ゲート６Ａ用のＩＤ認証装置８Ａによる認証は無効のままとなる。
当該仮想エリア設定の場合には、進入ゲート６Ａと進入ゲート６Ｂとで進入できる人が異なる場合に有効である。
【００４３】
以上、本発明の好適な実施形態を説明した。本発明の対象となる鍵は、あくまで鍵管理装置４での鍵の取り出し・返却の行為が在室者の在室情報に反映される設定がされている鍵である。したがって、例えば、入退室ゲート５から退室して使用する鍵や特定エリアＡ内で使用する鍵など、在室情報を生成せずに単に取り出し・返却の管理だけを目的とする鍵が鍵管理装置４に混在している場合であっても、これらの鍵は本発明には含まれない。
【符号の説明】
【００４４】
１      入退室管理システム
２      管理サーバ
３      入退室制御装置
４      鍵管理装置
５      入退室ゲート
６      進入ゲート
７、８  ＩＤ認証装置
【図１】
2011179222.tif 000003
【図２】
2011179222.tif 000004
【図３】
2011179222.tif 000005
【図４】
2011179222.tif 000006
【図５】
2011179222.tif 000007